(57)【特許請求の範囲】
【請求項１】
入力された撮影条件で被検体をスキャンして医用画像を生成する医用画像診断装置と、予め入力された注入時間及び遅延時間に基づき造影剤を前記被検体に注入するための造影剤注入装置とにネットワークを介して接続可能な画像診断支援装置であって、
前記スキャンを特定するスキャン特定情報と当該スキャンの際の前記撮影条件とを少なくとも含むスキャン内容オブジェク卜と、前記注入がなされたときのスキャンを特定するスキャン特定情報と当該スキャンのときの前記注入時間と前記遅延時間とオブジェクトＩＤとを少なくとも含む造影剤注入オブジェクトとを記憶する記憶手段と、
前記スキャン内容オブジェクトと前記造影剤注入オブジェクトとにおいて双方の前記スキャン特定情報が一致するものがある場合は、前記スキャン内容オブジェク卜に前記スキャン特定情報が一致した前記造影剤注入オブジェクトを関連付ける関連付け処理手段と、
を備えることを特徴とする画像診断支援装置。
【請求項２】
前記スキャン内容オブジェクトをその前記スキャン特定情報に基づき検索可能にデータベース管理する管理手段を更に備えることを特徴とする請求項１記載の画像診断支援装置。
【請求項３】
前記管理手段は、
所定のスキャン特定情報が入力されると、入力されたスキャン特定情報と一致するスキャン特定情報を含むスキャン内容オブジェクトを検索する第１の検索手段と、
前記第１の検索手段の検索により該当した前記スキャン内容オブジェクトに前記オブジェクトＩＤが追記されていると、この追記されている前記オブジェクトＩＤに基づき前記造影剤注入オブジェクトを検索する第２の検索手段と、
前記第１の検索手段及び前記第２の検索手段の検索で該当した前記スキャン内容オブジェクト及び前記造影剤注入オブジェクトを、前記所定のスキャン特定情報を入力した入力元に送信する送信手段と、
を含むこと、
を特徴とする請求項２記載の画像診断支援装置。
【請求項４】
前記関連づけ処理手段は、
前記オブジェクトＩＤとともに前記造影剤注入オブジェクトに含まれる一部又は全部の情報も併せて追記しておき、
前記管理手段は、
所定のスキャン特定情報が入力されると、入力されたスキャン特定情報と一致するスキャン特定情報を含むスキャン内容オブジェクトを検索する検索手段と、
前記検索手段の検索で該当した前記スキャン内容オブジェクトを前記所定のスキャン特定情報を入力した入力元に送信する送信手段と、
を含むこと、
を特徴とする請求項２記載の画像診断支援装置。
【請求項５】
前記スキャン内容オブジェクトに含まれる前記スキャン特定情報には、前記画像診断装置が生成した第１のスキャン時刻情報が含まれ、
前記造影剤注入オブジェクトに含まれる前記スキャン特定情報には、前記造影剤注入装置が生成した第２のスキャン時刻情報が含まれ、
前記関連づけ処理手段は、
前記造影剤注入オブジェクトに含まれる前記第２のスキャン時刻情報を基準にした所定幅の時間帯に収まる前記第１のスキャン時刻情報を少なくとも含む前記スキャン内容オブジェクトを検索すること、
を特徴とする請求項１又は請求項２記載の画像診断支援装置。
【請求項６】
前記関連づけ処理手段は、
前記造影剤注入オブジェクトに含まれているスキャン特定情報と一致するスキャン特定情報を含む前記スキャン内容オブジェクトを特定できないときは、所定時間をおいて複数回リトライすること、
を特徴とする請求項１又は請求項２記載の画像診断支援装置。
【発明の詳細な説明】
【技術分野】
【０００１】
本発明は、医用画像診断装置による撮影のときに過去の撮影で使用した条件を提供する画像診断支援装置に関する。
【背景技術】
【０００２】
従来より、被検体の画像を撮影する装置として画像診断装置が多く用いられる。画像診断装置としては、Ｘ線ＣＴ装置、Ｘ線診断装置、ＭＲＩ装置、超音波診断装置、核医学診断装置等が挙げられる。また、被検体内の臓器を造影剤によって強調すべく、画像診断装置による撮影とともに造影剤注入装置が多く用いられる。造影剤注入装置は、被検体内に造影剤を注入する装置である。
【０００３】
画像診断装置及び造影剤注入装置を使用する場合には、装置の挙動を制御するためのパラメータを設定する必要がある。パラメータとしては、画像診断装置に対するスキャンの開始位置と範囲（寝台移動量）、Ｘ線管球のKV/mA、得られる画像スライスの総幅に対する１回転での寝台移動量（ビームピッチ）等の撮影条件情報が挙げられる。また、パラメータとしては、造影剤注入装置に対する注入時間や遅延時間等の造影剤注入情報が挙げられる。
【０００４】
パラメータは、多岐に亘るため、近年では、撮影に用いられたパラメータをオブジェクトに纏めて管理しておく場合がある（例えば、「特許文献１」参照。）。過去に用いられたパラメータを参照して、今回の撮影のためのパラメータ設定の負担を軽減するためである。
【０００５】
オブジェクトは、撮影条件情報や造影剤注入情報をデータに含めたＤＩＣＯＭ形式のファイルである。オブジェクトは、画像診断装置と造影剤注入装置で撮影終了時に生成されて、ネットワーク上のＰＡＣＳ等の画像診断支援装置でデータベース管理される。画像診断装置又はこれに加えて造影剤注入装置を用いて画像診断を行う場合に、当該画像診断支援装置から過去の撮影で用いられた撮影条件情報や造影剤注入情報を纏めたオブジェクトを検索し、参照することでパラメータ設定の負担が軽減され、またパラメータの設定ミスが防止できる。さらには、過去に撮影された医用画像と今回撮影した医用画像の条件を近づけることができ、比較しやすい画像を撮影することができる。
【０００６】
パラメータを纏めたオブジェクトは、画像診断装置及び造影剤注入装置で別々に精製される。画像診断装置は、撮影条件情報を纏めた共有オブジェクトを生成する。造影剤注入装置は、造影剤注入情報を纏めた造影剤オブジェクトを生成する。この共有オブジェクトと造影剤オブジェクトは、別々のファイルであるため、画像診断支援装置では別々に管理している。
【０００７】
従って、造影剤を注入しながら画像を撮影する場合、共有オブジェクトと造影剤オブジェクトとをそれぞれ検索及び取得しなくてはならない。図１１は、共有オブジェクトと造影剤オブジェクトを取得する場合の通信概念を示す模式図である。
【０００８】
図１１に示すように、ＤＩＣＯＭ規格下のクエリー・リトリーブ方式では、検査階層、シリーズ階層、オブジェクト階層と順に絞り込みを行う通信を段階的に行い、次に取得のための通信を行う。
【０００９】
具体的には、まず画像診断装置等の外部装置と画像診断支援装置との間では、検査階層での検索のために、患者ＩＤを含んだ検索条件の送受信と、その患者ＩＤに該当する検査の一覧の送受信が行われる。次に、シリーズ階層での検索のために、検査ＩＤを含んだ検索条件の送受信と、検査の一覧から絞り込まれた当該検査ＩＤに該当するシリーズの一覧の送受信が行われる。最後に、オブジェクト階層の検索ために、シリーズＩＤ、ＳＯＰクラスＵＩＤ、及びイメージタイプを含んだ検索条件の送受信と、シリーズの一覧から絞り込まれたその検索条件に該当するオブジェクトの一覧の送受信が行われる。そして、最後に絞り込まれたオブジェクトの一覧から共有オブジェクトを指定し、指定した共有オブジェクトの取得のための通信が行われる。つまり、共有オブジェクトの取得のためには計４回の通信が確立されることとなる。
【００１０】
さらに、共有オブジェクトと造影剤オブジェクトとは別管理となっているため、造影剤オブジェクトの取得のためにも上記通信規約に倣い、シリーズ階層から検索のための２回の通信が確立され、その後に取得のための１回の通信が確立されることとなる。
【００１１】
即ち、従来は、共有オブジェクトと造影剤オブジェクトとを取得するためには、少なくとも検索のための通信に５回、及び取得のための通信に２回の計７回の通信が必要となる。同時に共有オブジェクトと造影剤オブジェクトを取得するにしても計６回の通信が必要となる。従って、検索を要求してから実際にオブジェクトを取得するために多大な時間がかかってしまい、作業効率が低下するとの問題があった。
【００１２】
【特許文献１】特開２００７−１６７６３４号公報
【発明の開示】
【発明が解決しようとする課題】
【００１３】
本発明は、上記事情に鑑みてなされたものであり、その目的とするところは、共有オブジェクトと造影剤オブジェクトとの検索及び取得のために必要となる通信時間の低減を図った画像診断支援装置を提供することにある。
【課題を解決するための手段】
【００１４】
上記課題を解決するために、請求項１に記載の発明は、入力された撮影条件で被検体をスキャンして医用画像を生成する医用画像診断装置と、予め入力された注入時間及び遅延時間に基づき造影剤を前記被検体に注入するための造影剤注入装置とにネットワークを介して接続可能な画像診断支援装置であって、前記スキャンを特定するスキャン特定情報と当該スキャンの際の前記撮影条件とを少なくとも含むスキャン内容オブジェク卜と、前記注入がなされたときのスキャンを特定するスキャン特定情報と当該スキャンのときの前記注入時間と前記遅延時間とオブジェクトＩＤとを少なくとも含む造影剤注入オブジェクトとを記憶する記憶手段と、前記スキャン内容オブジェクトと前記造影剤注入オブジェクトとにおいて双方の前記スキャン特定情報が一致するものがある場合は、前記スキャン内容オブジェク卜に前記スキャン特定情報が一致した前記造影剤注入オブジェクトを関連付ける関連付け処理手段と、を備えることを特徴とする。
請求項２に記載の発明は、前記スキャン内容オブジェクトをその前記スキャン特定情報に基づき検索可能にデータベース管理する管理手段を更に備えることを特徴とする。
請求項３に記載の発明は、前記管理手段は、所定のスキャン特定情報が入力されると、入力されたスキャン特定情報と一致するスキャン特定情報を含むスキャン内容オブジェクトを検索する第１の検索手段と、前記第１の検索手段の検索により該当した前記スキャン内容オブジェクトに前記オブジェクトＩＤが追記されていると、この追記されている前記オブジェクトＩＤに基づき前記造影剤注入オブジェクトを検索する第２の検索手段と、前記第１の検索手段及び前記第２の検索手段の検索で該当した前記スキャン内容オブジェクト及び前記造影剤注入オブジェクトを、前記所定のスキャン特定情報を入力した入力元に送信する送信手段と、を含むこと、を特徴とする。
請求項４に記載の発明は、前記関連づけ処理手段は、前記オブジェクトＩＤとともに前記造影剤注入オブジェクトに含まれる一部又は全部の情報も併せて追記しておき、前記管理手段は、所定のスキャン特定情報が入力されると、入力されたスキャン特定情報と一致するスキャン特定情報を含むスキャン内容オブジェクトを検索する検索手段と、前記検索手段の検索で該当した前記スキャン内容オブジェクトを前記所定のスキャン特定情報を入力した入力元に送信する送信手段と、を含むこと、を特徴とする。
【発明の効果】
【００１９】
本発明によれば、造影剤オブジェクトを検索するための通信を省くことができるため、共有オブジェクトを検索するための３回の通信と共有オブジェクト及び造影剤オブジェクトを取得するための１回の通信の計４回の通信で済み、通信時間を短縮することができ、また作業効率が向上する。
【発明を実施するための最良の形態】
【００２０】
以下、本発明に係る画像診断支援装置の好適な実施形態について、図面を参照しながら具体的に説明する。
【００２１】
図１は、画像診断支援装置が接続されたネットワークを示すネットワーク図である。
【００２２】
画像診断支援装置１は、病院内または地域等の病院外を含み構築されたネットワークＮに接続されている。このネットワークＮには、画像診断装置１００と造影剤注入装置２００も接続されている。
【００２３】
画像診断装置１００は、Ｘ線ＣＴ装置やＸ線診断装置や超音波診断装置や磁気共鳴イメージング装置（ＭＲＩ装置）や核医学診断装置等の被検体内をスキャンしてスキャン結果に基づき医用画像を撮影する装置である。造影剤注入装置２００は、画像診断装置１００でスキャンするときに造影剤を被検体に注入する装置である。
【００２４】
画像診断装置１００は、被検体のスキャン及び医用画像の生成のほか、このスキャンの内容を示す検査内容オブジェクトとして共有オブジェクト１０を生成して画像診断支援装置１に出力する。造影剤注入装置２００は、造影剤の注入のほか、スキャンのときに被検体へ注入された造影剤の注入内容を示す造影剤注入オブジェクトとして造影剤オブジェクト２０を生成して画像診断支援装置１に出力する。
【００２５】
画像診断支援装置１は、画像診断を支援するための装置である。この画像診断支援装置１は、共有オブジェクト１０と造影剤オブジェクト２０とを蓄積してデータベース管理しておき、画像診断装置１００を用いた検査のときに要求先にネットワークＮを通じて提供する。
【００２６】
この画像診断支援装置１は、例えば、過去に撮影された医用画像を蓄積してデータベース管理する画像管理システム（ＰＡＣＳ）である。画像診断支援装置１が画像管理システムである場合には、画像管理システムに画像診断を支援するための制御プログラムを記憶させ、この制御プログラムの情報処理を実行させることにより実現している。
【００２７】
図２は、画像診断支援装置の構成を示す構成図である。
【００２８】
画像診断支援装置１は、送受信部２と共有オブジェクト記憶部３と造影剤オブジェクト記憶部４とデータベース管理システム５と関連づけ処理部６とを備える。
【００２９】
送受信部２は、データの送受信を行う。主にＣＰＵと通信コントローラを含み構成されている。この送受信部２は、画像診断装置１００から共有オブジェクト１０を受信する。また、送受信部２は、造影剤注入装置２００から造影剤オブジェクト２０を受信する。
【００３０】
また、この送受信部２は、要求元から共有オブジェクト１０の取得要求があると、該当する共有オブジェクト１０又はこれに加えて造影剤オブジェクト２０を要求元に送信する。
【００３１】
共有オブジェクト記憶部３は、画像診断装置１００から受信した共有オブジェクト１０を記憶する不揮発性のメモリである。造影剤オブジェクト記憶部４は、造影剤注入装置２００から受信した造影剤オブジェクト２０を記憶する不揮発性のメモリである。共有オブジェクト記憶部３と造影剤オブジェクト記憶部４は、共通バスを介して送受信部２が受信した共有オブジェクト１０や造影剤オブジェクト２０を受け取って記憶する。また、要求元からの取得要求時に、送受信部２にアクセスされて記憶している共有オブジェクト１０や造影剤オブジェクト２０が読み出される。
【００３２】
データベース管理システム５は、共有オブジェクト１０や造影剤オブジェクト２０をデータベース管理する。画像診断支援装置１が画像管理システムである場合には、医用画像もデータベース管理する。このデータベース管理システム５は、登録部５１とデータベース５２を有する。
【００３３】
登録部５１は、受信した共有オブジェクト１０と造影剤オブジェクト２０をデータベース５２に登録する。この登録部５１は、ＣＰＵを含み構成され、データベース５２は、不揮発性のメモリで構成される。
【００３４】
図３は、共有オブジェクト１０を示すデータ構造図である。
【００３５】
共有オブジェクト１０には、ＳＯＰインスタンスＵＩＤ１１とスキャン特定情報１２と位置決め画像１３と撮影条件情報１４と画像等特定情報１５とが含まれている。
【００３６】
ＳＯＰインスタンスＵＩＤ１１は、付帯している共有オブジェクト１０と他のオブジェクトを区別するオブジェクトＩＤである。
【００３７】
スキャン特定情報１２は、患者ＩＤ、検査日、検査時刻、検査ＩＤ、シリーズＩＤ、イメージタイプ、ＳＯＰクラスＵＩＤ、造影剤投与の有無が含まれる。患者ＩＤは、画像診断装置１００でスキャンしたときの対象のＩＤである。検査日は、画像診断装置１００でスキャンしたときの日付である。検査時刻は、画像診断装置１００でスキャンしたときの時刻である。検査ＩＤは、画像診断装置１００でスキャンしたときの検査のＩＤである。一検査では、例えば造影剤を注入したときとしなかったときというふうに複数回のスキャンが行われることがあり、シリーズＩＤは、画像診断装置１００でスキャンしたときのスキャンのＩＤである。イメージタイプ（画像タイプともいう）は、撮影された画像の特性を識別する情報であり、ＤＩＣＯＭ規格で規定されている情報が複数値テキストで記載される。ＳＯＰクラスＵＩＤは、撮影された画像の種類を識別するＩＤである。
【００３８】
登録部５１は、このＳＯＰインスタンスＵＩＤ１１とスキャン特定情報１２を共有オブジェクト１０から読み出してデータベース５２の新規レコードに記録する。
【００３９】
位置決め画像１３は、スキャノグラムやスキャノ画像ともよばれ、スキャン範囲を画像診断装置１００に入力する際に操作者に参照された被検体の平面透過像である。
【００４０】
撮影条件情報１４は、スキャンによって被検体から画像生成の元となる物理的なデータを収集するために必要な物理的条件の情報である。撮影条件情報１４は、画像診断装置の種類に依存する。
【００４１】
例えば、Ｘ線ＣＴ装置の撮影条件情報１４は、スキャンの開始位置と範囲（寝台移動量）、Ｘ線管球のKV/mA、得られる画像スライスの総幅に対する１回転での寝台移動量（ビームピッチ）といった物理量、検査時の被検体挿入方向（装置に足から入るか頭から入るかの情報）、被検体の体位（診断上で寝る方向、姿勢）、画像ノイズ（SD値）等を含む。また、例えば、ＭＲＩ装置の撮影条件情報１４は、撮影範囲、患者の挿入方向や体位、磁場強度、パルスシーケンス、検出コイル種類、検出コイルの設置場所、心電同期、呼吸同期の有無、寝台送風の有無、撮影中心の身体部位、装着位置といったパラメータを含む。
【００４２】
撮影条件情報１４には、このほか、画像生成条件を示す情報が含まれていてもよい。画像生成条件とは、撮影によって得られた物理データから画像を再構成するためのパラメータであり、例えば再構成範囲、時相、画像の位置、方向、厚さ、FOV（拡大率）、再構成関数等のフィルタ処理パラメータなどである。また、この画像生成条件には、各種画像診断装置１００や画像参照装置において実行されるボリュームレンダリングやＭＰＲ処理等の画像処理において使用される条件も含まれる。例えば、ＭＰＲ処理の場合は、基準座標と法線ベクトル、スライス厚、範囲などが相当する。
【００４３】
画像等特定情報１５は、画像オブジェクト特定情報、キー画像特定情報、参照撮影条件特定情報が含まれる。画像オブジェクト特定情報は、共有オブジェクト１０が示す撮影条件で撮影された医用画像を集めたオブジェクトを特定するＩＤ等の情報である。キー画像特定情報は、共有オブジェクト１０が示す撮影条件で撮影された医用画像の中から選ばれたキー画像を特定する情報である。参照撮影条件特定情報は、共有オブジェクト１０が示す撮影条件を設定する際に参照された過去の共有オブジェクト１０のＳＯＰインスタンスＵＩＤ１１である。
【００４４】
図４は、造影剤オブジェクト２０を示すデータ構成図である。
【００４５】
造影剤オブジェクト２０は、ＳＯＰインスタンスＵＩＤ２１とスキャン特定情報２２と造影剤注入情報２３とが含まれている。
【００４６】
ＳＯＰインスタンスＵＩＤ２１は、付帯している造影剤オブジェクト２０と他のオブジェクトを区別するオブジェクトＩＤである。スキャン特定情報２２は、患者ＩＤ、検査日、検査時刻、検査ＩＤ、シリーズＩＤ、イメージタイプ、ＳＯＰクラスＵＩＤが含まれる。
【００４７】
造影剤注入情報２３は、造影剤が注入された経過時間である注入時間、造影剤の注入開始を基準としたスキャン開始の遅延時間、造影剤の投与量、造影剤の種類等が含まれている。
【００４８】
関連づけ処理部６は、造影剤投与下のスキャンにおける撮影条件情報１４を含んだ共有オブジェクト１０と、当該スキャンに対する造影剤オブジェクト２０とを関連づける。この関連づけ処理部６は、ＣＰＵを含み構成される。
【００４９】
図５は、造影剤オブジェクト２０が関連づけされた共有オブジェクト１０の第１の態様を示すデータ構造図である。
【００５０】
図５に示すように、関連づけ処理部６は、造影剤投与下のスキャンに対する造影剤オブジェクト２０のＳＯＰインスタンスＵＩＤ２１を、当該スキャンにおける撮影条件情報１４を含んだ共有オブジェクト１０に追記する。即ち、この造影剤オブジェクト２０のＳＯＰインスタンスＵＩＤ２１を共有オブジェクト１０のデータ内に含める。
【００５１】
関連づけ処理部６は、造影剤オブジェクト２０が有するスキャン特定情報２２を含む共有オブジェクト１０をデータベース５２を用いて検索し、該当する共有オブジェクト１０に造影剤オブジェクト２０のＳＯＰインスタンスＵＩＤ２１を追記する。
【００５２】
検索に用いるスキャン特定情報２２としては、そのうちの一部であってもよく、例えば患者ＩＤ、検査日、検査時刻、及びＡｃｃｅｓｓｉｏｎ番号を読み出してＡＮＤ検索を行う。Ａｃｃｅｓｓｉｏｎ番号は、例えば、オーダーと対応関係を持っている番号で、当該番号により同じオーダーの検査を特定できる。また、例えば、ＲＩＳ（放射線情報システム）で検査ＩＤやＡｃｃｅｓｓｉｏｎ番号が発番されることにより、画像診断装置１００と造影剤注入装置２００で共通の検査ＩＤやＡｃｃｅｓｓｉｏｎ番号が付される場合は、検査ＩＤやＡｃｃｅｓｓｉｏｎ番号を読み出して検索を行ってもよい。また、造影剤オブジェクト２０に含まれるスキャン特定情報２２のほかに造影剤が含まれることを示すシリーズに対する記述や、造影剤が含まれることを示す検査種別や、造影剤の名称情報の記述であることを示すタグ等を検索条件に加えてもよい。
【００５３】
検査時刻としては、画像診断装置１００と造影剤注入装置２００が計時する時刻にズレがある可能性も存在するため、造影剤オブジェクト２０が有する検査時刻を基準にして予め定められた所定幅の時間帯に収まる時刻情報を検索条件としてもよい。所定幅の時間帯は、例えば、±１０秒等、予め制御プログラムやそのデータに含めて外部記憶部に記憶させておく。
【００５４】
また、関連づけ処理部６の検索によっても該当の共有オブジェクト１０が検出されない場合、所定時間をおいて複数回リトライするようにしてもよい。画像診断装置１００と造影剤注入装置２００とから同時に共有オブジェクト１０と造影剤オブジェクト２０とが送信されてくるとは限らないからである。待機時間及びリトライ回数は、例えば、３６０分間隔で２回等、予め制御プログラムやそのデータに含めて外部記憶部に記憶させておく。
【００５５】
さらにデータベース管理システム５は、共有オブジェクト検索部７と造影剤オブジェクト検索部８を備える。
【００５６】
共有オブジェクト検索部７は、データベース５２を用いて共有オブジェクト１０を検索する。この共有オブジェクト検索部７は、主にＣＰＵを含み構成される。画像診断装置１００等の外部装置からネットワークを介して検索条件が入力されると、この検索条件を満たす共有オブジェクト１０をデータベース５２から検索する。外部装置から入力される検索条件は、スキャン特定情報である。
【００５７】
共有オブジェクト検索部７と外部装置との検索条件の入力、検索、及び検索結果の出力は、ＤＩＣＯＭ規格に基づくクエリー・リトリーブ方式により、階層別に複数回の通信により行われる。はじめにオブジェクトを検査レベルで検索して一群に絞り、次に該当の一群から共有オブジェクト１０をシリーズレベルで検索して更に一群に絞り、最後に該当の一群から所望の共有オブジェクト１０を検出する。
【００５８】
即ち、ネットワークＮを介して入力される最初の検索条件は、患者ＩＤである。患者ＩＤが外部装置から検索条件として入力されると、共有オブジェクト検索部７は、該当する検査の一覧を出力する。次にネットワークＮを介して入力される検索条件は、検査ＩＤである。検査ＩＤが外部装置から検索条件として入力されると、共有オブジェクト検索部７は、検査の一覧から該当するシリーズの一覧を出力する。そして、最後にネットワークＮを介して入力される検索条件は、シリーズＩＤ、ＳＯＰクラスＵＩＤ、及びイメージタイプ等である。これら最後の検索条件が外部装置から検索条件として入力されると、共有オブジェクト検索部７は、シリーズの一覧から該当するＳＯＰインスタンスＵＩＤ１１の一覧を出力する。共有オブジェクト検索部７は、入力された検索条件に基づきデータベース５２を参照して徐々に対象の共有オブジェクト１０を検出していく。
【００５９】
造影剤オブジェクト検索部８は、ＳＯＰインスタンスＵＩＤ２１を用いて造影剤オブジェクト２０を検索する。この造影剤オブジェクト検索部８は、主にＣＰＵを含み構成されている。造影剤オブジェクト検索部８は、共有オブジェクト検索部７が検出した共有オブジェクト１０に造影剤オブジェクト２０のＳＯＰインスタンスＵＩＤ２１が追記されていれば、そのＳＯＰインスタンスＵＩＤ２１を有する造影剤オブジェクト２０を検索する。
【００６０】
図６及び図７は、このような画像診断支援装置１における第１の関連づけ動作を示すタイムチャートである。
【００６１】
図６に示すように、送受信部２は、共有オブジェクト１０を受信すると（Ｓ０１，Ｙｅｓ）、共有オブジェクト記憶部３に記憶させる（Ｓ０２）。登録部５１は、受信した共有オブジェクト１０をデータベース５２に登録する（Ｓ０３）。
【００６２】
図７に示すように、また、送受信部２は、造影剤オブジェクト２０を受信すると、（Ｓ０４，Ｙｅｓ）、造影剤オブジェクト記憶部４に記憶させる（Ｓ０５）。登録部５１は、受信した造影剤オブジェクト２０をデータベース５２に登録する（Ｓ０６）。
【００６３】
関連づけ処理部６は、造影剤オブジェクト２０を受信すると、受信した造影剤オブジェクト２０からスキャン特定情報２２とＳＯＰインスタンスＵＩＤ２１を読み出す（Ｓ０７）。そして、関連づけ処理部６は、データベース５２を参照してスキャン特定情報２２と同一のスキャン特定情報１２を有する共有オブジェクト１０を検索する（Ｓ０８）。
【００６４】
該当する共有オブジェクト１０が検出されなければ（Ｓ０８，Ｎｏ）、関連づけ処理部６は、リトライ回数に到達していなければ（Ｓ０９，Ｎｏ）、所定時間経過後（Ｓ１０）、再度検索を行う（Ｓ０８）。
【００６５】
該当する共有オブジェクト１０が検出されれば（Ｓ０８，Ｙｅｓ）、関連づけ処理部６は、Ｓ０７で読み出した造影剤オブジェクト２０のＳＯＰインスタンスＵＩＤ２１を、検出した共有オブジェクト１０に追記する（Ｓ１１）。
【００６６】
これにより、共有オブジェクト１０と造影剤オブジェクト２０とが関連づけられ、共有オブジェクト１０の検索に伴って造影剤オブジェクト２０が取得可能となる。
【００６７】
図８は、このような画像診断支援装置１における第１の検索動作を示すフローチャートである。また、図９は、第１の検索動作の態様を示す模式図である。
【００６８】
まず、送受信部２は、入力元である画像診断装置１００から検索条件として患者ＩＤをネットワークＮを介して受信する（Ｓ２１）。共有オブジェクト検索部７は、データベース５２を参照して、受信した患者ＩＤをスキャン特定情報１２に有するオブジェクトの一群を検索し（Ｓ２２）、送受信部２は、検索結果を一覧として入力元にネットワークＮを介して送信する（Ｓ２３）。
【００６９】
次に、送受信部２は、入力元である画像診断装置１００から検索条件として検査ＩＤをネットワークＮを介して受信する（Ｓ２４）。共有オブジェクト検索部７は、データベース５２を参照して、Ｓ２２で検索した一群から、受信した検査ＩＤをスキャン特定情報１２に有する共有オブジェクト１０の一群を検索し（Ｓ２５）、送受信部２は、検索結果を一覧として入力元にネットワークＮを介して送信する（Ｓ２６）。
【００７０】
次に、送受信部２は、入力元である画像診断装置１００から検索条件としてシリーズＩＤ、ＳＯＰクラスＵＩＤ、及びイメージタイプをネットワークＮを介して受信する（Ｓ２７）。共有オブジェクト検索部７は、データベース５２を参照して、Ｓ２５で検索した一群から、受信した検索条件をスキャン特定情報１２に有する共有オブジェクト１０の一覧を検索し（Ｓ２８）、送受信部２は、検索結果を入力元にネットワークＮを介して送信する（Ｓ２９）。
【００７１】
画像診断装置１００から共有オブジェクト１０のＳＯＰインスタンスＵＩＤを提示されて取得要求を受信すると、送受信部２は、提示されたＳＯＰインスタンスＵＩＤを有する共有オブジェクト１０を読み出す（Ｓ３０）。更に、造影剤オブジェクト検索部８は、読み出された共有オブジェクト１０から造影剤オブジェクト２０のＳＯＰインスタンスＵＩＤ２１を検索する（Ｓ３１）。造影剤オブジェクト２０のＳＯＰインスタンスＵＩＤ２１が追記されていれば（Ｓ３１，Ｙｅｓ）、当該ＳＯＰインスタンスＵＩＤ２１を読み出し（Ｓ３２）、データベース５２を参照して、読み出したＳＯＰインスタンスＵＩＤ２１を有する造影剤オブジェクト２０を検索する（Ｓ３３）。
【００７２】
送受信部２は、造影剤オブジェクト２０が見つからなければ（Ｓ３１，Ｎｏ）、素読み出した共有オブジェクト１０のみを入力元に送信し（Ｓ３５）、造影剤オブジェクト２０が存在していれば（Ｓ３１，Ｙｅｓ）、検索された造影剤オブジェクト２０も入力元に送信する（Ｓ３４）。
【００７３】
これにより、入力元と画像診断支援装置１とは、検索のための３回の通信及びオブジェクトの取得のための一回の通信で共有オブジェクト１０及び造影剤オブジェクト２０とを取得することができる。
【００７４】
図１０は、造影剤オブジェクト２０が関連づけされた共有オブジェクト１０の第２の態様を示すデータ構造図である。
【００７５】
共有オブジェクト１０には、造影剤オブジェクト２０の造影剤注入情報２３を追記するようにしてもよい。造影剤オブジェクト２０のスキャン特定情報２２と同一のスキャン特定情報１２を有する共有オブジェクト１０を検索した後、造影剤オブジェクト２０から造影剤注入情報２３を読み出し、該当の共有オブジェクト１０に追記する。または、造影剤オブジェクト２０自体又は造影剤注入情報２３の一部を追記するようにしてもよい。
【００７６】
共有オブジェクト１０に造影剤注入情報２３等も追記する場合、検索条件に基づく共有オブジェクト１０の検索の後は、造影剤オブジェクト検索部８で造影剤オブジェクト２０を検索することなく該当の共有オブジェクト１０のみを入力元に送信する。共有オブジェクト１０には、造影剤オブジェクト２０に含まれていた造影剤注入情報２３も含まれているため、入力元で造影剤注入情報２３を参照することも可能となる。
【００７７】
この場合、関連づけ処理部６は、造影剤オブジェクト２０と共有オブジェクト１０の格納先が定義されたテーブルを一端用意し、テーブルに従って造影剤オブジェクト２０から共有オブジェクト１０へ造影剤注入情報２３をコピーする。例えば、造影剤オブジェクト２０の検査ＩＤとシリーズＩＤとＳＯＰインスタンスＵＩＤ２１と造影剤注入情報２３のメモリ上の取得先と共有オブジェクト１０の格納先とを対にしたテーブルを作成する。
【図面の簡単な説明】
【００７８】
【図１】画像診断支援装置が接続されたネットワークを示すネットワーク図である。
【図２】画像診断支援装置の構成を示す構成図である。
【図３】共有オブジェクトを示すデータ構造図である。
【図４】造影剤オブジェクトを示すデータ構成図である。
【図５】造影剤オブジェクトが関連づけされた共有オブジェクトの第１の態様を示すデータ構造図である。
【図６】第１の関連づけ動作を示すフローチャートである。
【図７】第１の関連づけ動作を示すフローチャートである。
【図８】第１の関連づけの動作を示すフローチャートである。
【図９】第１の検索動作の態様を示す模式図である。
【図１０】造影剤オブジェクトが関連づけされた共有オブジェクトの第２の態様を示すデータ構造図である。
【図１１】従来の共有オブジェクトと造影剤オブジェクトの検索態様を示す模式図である。
【符号の説明】
【００７９】
１  画像診断支援装置
２  送受信部
３  共有オブジェクト記憶部
４  造影剤オブジェクト記憶部
５  データベース管理システム
５１  登録部
５２  データベース
６  関連づけ処理部
７  共有オブジェクト検索部
８  造影剤オブジェクト検索部
１０  共有オブジェクト
１１  ＳＯＰインスタンスＵＩＤ
１２  スキャン特定情報
１３  位置決め画像
１４  撮影条件情報
１５  画像等特定情報
２０  造影剤オブジェクト
２１  ＳＯＰインスタンスＵＩＤ
２２  スキャン特定情報
２３  造影剤注入情報
１００  画像診断装置
２００  造影剤注入装置
Ｎ  ネットワーク
【図１】
0005203793.tif 000002
【図２】
0005203793.tif 000003
【図３】
0005203793.tif 000004
【図４】
0005203793.tif 000005
【図５】
0005203793.tif 000006
【図６】
0005203793.tif 000007
【図７】
0005203793.tif 000008
【図８】
0005203793.tif 000009
【図９】
0005203793.tif 000010
【図１０】
0005203793.tif 000011
【図１１】
0005203793.tif 000012